(57)【要約】【課題】サイクロン分離装置で分離した異物を、自然風を用いて効率よく装置外へ排出させる構造を有しながら、どの方向から自然風が吹いても分離性能の低下を抑制することを目的とする。【解決手段】排出口１２には排出促進面１０を備え、分離室１５内部に、貫通孔１６から旋回気流の方向へ、下部遮蔽板２２、返し板２１、流入気流制御板２０を備え、流入気流制御板２０は、排出促進面１０の上方部に配置し、かつ筐体の正面側から見て、貫通孔１６側が下方へ傾斜した板体をなし、返し板２１は、排出促進面１０から分離室１５へ端部を突出させた板体であって、下部遮蔽板２２は、旋回室１４の中心軸に垂直な面において、前記端部から排出促進面１０にひいた接線の線上にくるよう配置することで、自然風によって異物を排出でき、自然風の向きによらず分離性能の低下を抑制することができるサイクロン分離装置を得られる。【選択図】図３
2020049407.tif 000002
【特許請求の範囲】
【請求項１】
筐体に空気を流入させる流入口と、旋回気流を発生させる旋回流発生手段と、
前記筐体の背面に設けて空気を前記筐体の外へ流出させる流出口と、
前記筐体の内部を該筐体の側面に近い外周側と該筐体の中心部を含む内周側とに仕切る空間分割板によってそれぞれ形成した分離室と旋回室と、前記空間分割板に備えた前記分離室と旋回室を連通させる貫通孔と、
前記分離室内部と前記筐体外とを連通させる排出口とを備えたサイクロン分離装置において、
前記排出口は前記分離室に対して重力方向の下方となる位置に配置でき、
前記排出口に向かって傾斜を有する排出促進面を備え、
前記分離室内部に、前記貫通孔から旋回気流の方向へ、下部遮蔽板、返し板、流入気流制御板を備え、
前記流入気流制御板は、前記排出促進面の上方部に配置し、かつ前記筐体の正面側から見て、前記貫通孔側が下方へ傾斜した板体をなし、
前記返し板は、前記排出促進面から分離室へ端部を突出させた板体であって、
前記下部遮蔽板は、旋回室の中心軸に垂直な面において、前記端部から排出促進面にひいた接線の線上にくるよう配置したことを特徴とするサイクロン分離装置。
【請求項２】
前記流入気流制御板の上部にも分離室内の空気が通過できるように、前記空間分割板との間に隙間を設けた請求項１記載のサイクロン分離装置。
【請求項３】
前記分離室の上部空間内に上部遮蔽板を設けた請求項１または２記載のサイクロン分離装置。
【発明の詳細な説明】
【技術分野】
【０００１】
本発明は、空気中に含まれる異物を、遠心力を用いて分離するサイクロン分離装置に関するものである。
【背景技術】
【０００２】
従来、この種のサイクロン分離装置は、住宅において外気を室内に取り込む際に、外気と一緒に吸込んでしまう虫や塵埃（以下、異物）を分離するために、住宅外壁の給気口部分に取り付けて使用されている。
【０００３】
例えば、特許文献１には、給気と排気を行う換気装置を備えた住宅において、屋外の空気を取り込む給気口部分にサイクロン分離装置を設けている。これにより、空気中に含まれる異物をサイクロン分離装置で分離し、その内部に設けた分離室に、分離した異物を貯留し、換気装置内への異物の侵入を防止している。
【０００４】
また、特許文献２には、同じく給気と排気を行う換気装置を備えた住宅において、屋外の空気を取り込む給気口部分にサイクロン分離装置を設けている。そして同じく分離した異物を貯留する分離室を備える。分離室には、風力を利用して、蓋が開く構造になっており、自然界で発生した風（以下、自然風）によって蓋が開いたときに、分離した異物が屋外へ排出されるようになっている。
【０００５】
その構成は、風圧の力を受ける受風板を設け、受風板はある程度の強い風によって、振り子のように動くよう上部に支点をおいた構成とし、受風板が振り子のように動くことで、分離室に設けた２ヶ所の蓋が交互に開く構成となっている。
【先行技術文献】
【特許文献】
【０００６】
【特許文献１】特開２００７−９８２０８号公報
【特許文献２】特開２００８−３６５７９号公報
【発明の概要】
【発明が解決しようとする課題】
【０００７】
このような従来のサイクロン分離装置においては、特許文献１のように分離室に異物を貯留すると、定期的に貯留物を取り除くというメンテナンスを行う必要があった。また、特許文献２のように受風板を設けてある程度の強い風によって振り子のように動く構成とすると、装置が大型化するのと、稼動部分があるため、定期的なメンテナンスが必要であった。
【０００８】
そこで、定期的なメンテナンスを必要とせず、自然風によってサイクロンで分離された異物を効率よく排出できる排出構造を有しながら、自然風の向きが変わってもサイクロンの分離性能の低下を抑制することができる構造を備えたサイクロン分離装置を提供することを目的とする。
【課題を解決するための手段】
【０００９】
そして、この目的を達成するために、本発明に係るサイクロン分離装置は、筐体に空気を流入させる流入口と、旋回気流を発生させる旋回流発生手段と、前記筐体の背面に設けて空気を前記筐体の外へ流出させる流出口と、前記筐体の内部を該筐体の側面に近い外周側と該筐体の中心部を含む内周側とに仕切る空間分割板によってそれぞれ形成した分離室と旋回室と、前記空間分割板に備えた前記分離室と旋回室を連通させる貫通孔と、前記分離室内部と前記筐体外とを連通させる排出口とを備えたサイクロン分離装置において、前記排出口は前記分離室に対して重力方向の下方となる位置に配置でき、前記排出口に向かって傾斜を有する排出促進面を備え、前記分離室内部に、前記貫通孔から旋回気流の方向へ、下部遮蔽板、返し板、流入気流制御板を備え、
前記流入気流制御板は、前記排出促進面の上方部に配置し、かつ前記筐体の正面側から見て、前記貫通孔側が下方へ傾斜した板体をなし、前記返し板は、前記排出促進面から分離室へ端部を突出させた板体であって、前記下部遮蔽板は、旋回室の中心軸に垂直な面において、前記端部から排出促進面にひいた接線の線上にくるよう配置したものであり、これにより所期の目的を達成するものである。
【発明の効果】
【００１０】
本発明によれば、自然風の向きがどの方向であっても、分離性能を低下させることなく、効率よく筐体外へ異物を排出することができる。
【図面の簡単な説明】
【００１１】
【図１】本発明の実施の形態１のサイクロン分離装置の斜め下正面側から見た斜視図
【図２】同側面断面図
【図３】同正面断面図
【図４】同排出部の要部を示す拡大図（（ａ）排出部近傍の拡大図、（ｂ）返し板を示す図）
【発明を実施するための形態】
【００１２】
本発明の請求項１に係るサイクロン分離装置は、筐体に空気を流入させる流入口と、旋回気流を発生させる旋回流発生手段と、前記筐体の背面に設けて空気を前記筐体の外へ流出させる流出口と、前記筐体の内部を該筐体の側面に近い外周側と該筐体の中心部を含む内周側とに仕切る空間分割板によってそれぞれ形成した分離室と旋回室と、前記空間分割板に備えた前記分離室と旋回室を連通させる貫通孔と、前記分離室内部と前記筐体外とを連通させる排出口とを備えたサイクロン分離装置において、前記排出口は前記分離室に対して重力方向の下方となる位置に配置でき、前記排出口に向かって傾斜を有する排出促進面を備え、前記分離室内部に、前記貫通孔から旋回気流の方向へ、下部遮蔽板、返し板、流入気流制御板を備え、前記流入気流制御板は、前記排出促進面の上方部に配置し、かつ前記筐体の正面側から見て、前記貫通孔側が下方へ傾斜した板体をなし、前記返し板は、前記排出促進面から分離室へ端部を突出させた板体であって、前記下部遮蔽板は、旋回室の中心軸に垂直な面において、前記端部から排出促進面にひいた接線の線上にくるよう配置した。
【００１３】
これにより、排出口から流入した空気を、流入気流制御板によって、貫通孔と反対側に流れるようにすることができる。また、筐体の正面から見て、排出口の外側を貫通孔のない側からある側へ向かって、自然風が吹いた場合、排出口から流入する気流は、自然風の下流側にあたる排出促進面の傾斜に沿った方向に向きを変える。排出促進面の傾斜に沿った気流は、貫通孔側へ向かう流れとなるが、下部遮蔽板によってその流れは遮られる。
【００１４】
つまり、分離室内では、排出口から流入した空気を貫通孔と反対側に流れやすいようにすることができるので、分離室内の異物の再飛散を抑制して、分離室内の塵埃を適時排出することができる。
【００１５】
また、本発明の請求項２に係るサイクロン分離装置は、前記流入気流制御板の上部にも分離室内の空気が通過できるように、前記空間分割板との間に隙間を設けた。
【００１６】
これにより、排出口から流入した気流が下部遮蔽板に衝突し、向きを反転させた際に、流入気流制御板と空間分割板との隙間を通って、貫通孔から遠ざかる方向へ気流を向かわせることができるために再飛散現象を抑制することができる。
【００１７】
また、本発明の請求項３に係るサイクロン分離装置は、前記分離室の上部空間内に上部遮蔽板を設けた。
【００１８】
排出口から流入した気流は、一旦貫通孔から遠ざかる方向へ分離室内空間を流れるが、やがて貫通孔へたどり着く。そこで上部遮蔽板を設けることで、その気流の勢いを失わせることで、異物が分離室内の上部まで持ち上がらず、空気のみが上部遮蔽板を超えて貫通孔へ達するため、再飛散現象をさらに抑制することができる。
【００１９】
以下、本発明の実施の形態について、図面参照しながら説明をする。
【００２０】
（実施の形態１）
本実施の形態ではサイクロン分離装置を換気口フードとして適用した例をもとに以下説明を行う。
【００２１】
図１に示す換気口フード１は、住宅の外壁に設けた給気口に取り付けるものである。住宅の外壁に設けて屋外の空気を住宅に取り込む給気口に取り付けるものである。
【００２２】
住宅内への屋外の空気を取り込む装置（図示せず）は、住宅内に設置した送風機（図示せず）と換気ダクト（図示せず）を備えて、前記送風機と換気口フード１とを接続している。これにより、換気口フード１を通過した空気を室内へ導入することができる。
【００２３】
換気口フード１は、流出管２を用いて換気ダクトと接続し、住宅外壁から突出して設置される。
【００２４】
次に、換気口フード１の筐体５の外観構成について説明する。
【００２５】
換気口フード１の筐体５は、図１に示す正面側のカバー３と、背面側のベース板４とで構成されている。換気口フード１の主要部であるカバー３は、四角い箱型の形状であり、正面側を塞ぎ、４つの側面は背面側が流入口７として開口している。カバー３の形状は、四角い箱型の形状に限らず、中心軸６の周りを回転させてできる回転体形状で、正面側を塞いだ円筒形状であってもよい。また、図１の正面側の面の形状は平面状であるが、中心部が正面側に突出したドーム形状であってもよい。
【００２６】
カバー３の側面はベース板４と接続し、換気口フード１として外観を成している。
【００２７】
流入口７の下流側には、流入空気を旋回させる旋回流発生手段として、中心軸６に向けて斜めに配置した固定羽根８を複数設けている。固定羽根８は、中心軸６を基準として回転対称に均等間隔で配置されている。また、装置内に大きな虫や鳥類が侵入しないよう、流入口７や固定羽根８の外周部に網を備えても良い。
【００２８】
ベース板４は中央部に円形の開口を備え、該開口には流出管２が接続されている。流出管２の一端の流出口９からは、カバー３内部の空気が流出する構成である。
【００２９】
中心軸６を略水平に配置した状態において、カバー３の下部には、側面から突出するように排出部１１を備えている。排出部１１は内外において傾斜を有する排出促進面１０を備えている。
【００３０】
排出促進面１０は対称に配置した二面であり、さらに別の二面と接続され、最下部に排出口１２を形成し、これら排出促進面１０と別の二面と排出口１２で排出部１１を構成している。排出部１１はカバー３の最下部に位置している。
【００３１】
排出部１１は下部に向かって断面積が小さくなる方向に排出促進面１０を傾斜させ、その先端部に換気口フード１の内外を連通させるように開口させた排出口１２を備えている。排出部１１は、排出促進面１０と排出口１２を含むものとなる。なお、本実施の形態では、カバー３は、四角形状の箱型形状として、カバー３の側面から排出部１１が突出した構造となっているが、例えばカバー３を下方向に尖った菱形形状として下部側面が傾斜を有している場合は、カバー３側面をそのまま排出促進面１０として利用することができる。
【００３２】
次に、図２を用いて、本装置の内部構成について説明する。
【００３３】
排出部１１をカバー３の最下部に位置させた状態において、図２に示すように、カバー３の内部空間には、ベース板４を挟んで流出口９に連通するようにベース板４の内側に内筒管１９を備え、固定羽根８とカバー３の正面側との間の空間を区切る空間分割板１３を備えている。
【００３４】
空間分割板１３は、カバー３内でベース板４側に向かって断面積が広がるように傾斜しており、円錐台形状である。なお、断面積が変わらない円筒形状であってもよい。
【００３５】
カバー３の中心部を含む内周側（空間分割板１３より内側）は旋回室１４であり、カバー３の内部で筐体５の側面に近い外周側（空間分割板１３とカバー３で囲まれた空間）は分離室１５である。空間分割板１３には貫通孔１６を設け、貫通孔１６を介して旋回室１４と分離室１５が連通している。
【００３６】
貫通孔１６の位置は、空間分割板１３上において旋回室底面１７側であって、中心軸６より上側で旋回室１４内の気流の旋回方向が下方向に向かう側である。そして、図２の断面図に示すように、内筒管１９の先端部から距離を開けて貫通孔１６の開口を設けている。
【００３７】
空間分割板１３はカバー３内で換気口フード１の正面側には旋回室底面１７の面を形成しており、空間分割板１３と旋回室底面１７は連続的に構成されている。なお、空間分割板１３をカバー３の内面まで延設し、カバー３の内面を旋回室底面１７としてもよい。
【００３８】
空間分割板１３の外側であってカバー３に囲まれた空間は分離室１５であり、旋回室底面１７がカバー３とほぼ密接しているので、分離室１５は筒状の空間が一周した環状の空間となっている。なお、空間分割板は、カバー３の形状にはよらず、常に回転体形状であることが必須である。
【００３９】
そして、分離室１５も図１に示すカバー３の正面側に面が形成され、分離室底面１８としている。なお、旋回室底面１７と分離室底面１８の密接の程度は、組立精度の関係上、旋回室底面１７とカバー３の正面側の内面とは僅かな隙間が生じるよう設計されている。
【００４０】
このようにして、分離室底面１８と旋回室底面１７を略同一面上に形成することができるので、中心軸６方向の本サイクロン分離装置、すなわち換気口フード１の厚みを最小限に抑えることができる。
【００４１】
また、内筒管１９は、ベース板４の中央部からカバー３の内部へ、すなわち換気口フード１の正面側に向けて突出させて備え、流出口９と同軸上に配置されている。なお、本実施の形態では、ベース板４部分において、内筒管１９の内径は流出管２の内径と異なっており、流出管２の内径よりも内筒管１９の内径の方が小さくなっているが、同じ大きさであってもよい。ベース板４部分で、流出管２側に急拡大が生じるため、気流の乱れが予想される場合、徐々に広がるような形状にしてもよい。
【００４２】
次に図３と図４を用いて分離室１５内部の構造を説明する。本実施の形態において、分離室１５内には流入気流制御板２０、返し板２１、下部遮蔽板２２、上部遮蔽板２３の４つの部材を備える。貫通孔１６を起点にして、旋回室内で旋回気流の流れる方向に、下部遮蔽板２２、返し板２１、流入気流制御板２０、上部遮蔽板２３の順に配置している。
【００４３】
排出口１２の上部には流入気流制御板２０を備える。図４（ａ）に示すように流入気流制御板２０は、排出口１２の中心から真上にひいた垂線２４をまたがって傾斜を有し、さらに分離室底面から中心軸６方向へ、分離室１５を構成している面に衝突するまで押し出した板体である。
【００４４】
流入気流制御板２０は、二つの端部を有している。二つの端部は、流入気流制御板２０の傾斜によって、上側端部２５と下側端部２６に区別できる。中心軸６から見て近い側を上位側に、遠い側を下位側に配置し、かつ円周方向で上位側は下位側に比べて貫通孔１６から離れる方向に配置している。上位側の端部が上側端部２５で、下位側の端部が下側端部２６である。さらに、流入気流制御板の上側端部２５と空間分割板１３の間には隙間を備える。
【００４５】
図４（ｂ）は、返し板２１を示す図である。返し板２１は、排出促進面１０の面上（排出促進面１０から隣接する面上でもよい）から垂線２４に向かって先端部を突出した板体である。返し板２１の突出した先端部を先端端部２７とする。
【００４６】
下部遮蔽板２２は、中心軸６から引いた半径上で延設した板体である。下部遮蔽板２２は内周側では空間分割板１３と接触させ、外周側には隙間ができるように構成している。
【００４７】
排出促進面１０と返し板２１の先端端部２７と下部遮蔽板２２には関係があり、先端端部２７から排出促進面１０に引いた接線（図４（ａ）の点線）の逆方向延長上に下部遮蔽板２２が存在するように構成する。
【００４８】
排出部１１をカバー３の最下部に位置させた状態において、図３に示すように、上部遮蔽板２３は、中心軸６の真上に位置し、上部遮蔽板２３の内周側は空間分割板１３と接触させ、外周側には隙間ができるように構成している。なお、上部遮蔽板２３の位置は分離室１５の上部で、かつ貫通孔１６よりも上部（上部空間内）であればどこでもよい。
【００４９】
上記構成において、気流の流れと分離機構について説明する。
【００５０】
まず、異物を含んだ屋外空気は、図１に示す流入口７より換気口フード１内に流入し、固定羽根８により旋回気流となり、旋回室１４内で換気口フード１の正面側へ向かいながら旋回する。ここで、異物は遠心力により空間分割板１３側に移動し、貫通孔１６付近を通過する際に分離室１５内へ移動する。異物を分離した空気は、内筒管１９に流入し、流出管２を通って流出口９より装置外へ流出する。
【００５１】
分離室１５に移動した異物は、一旦、分離室１５内に貯留される。送風機により換気口フード１内は負圧となっているため、排出口１２から分離室１５内にも空気が流入する。その流入した空気は、図２に示す貫通孔１６を通り、旋回室１４内へ流入し、旋回室１４内の旋回気流と合流する。
【００５２】
次に、分離室１５内の異物の排出機構について説明する。
【００５３】
図３は、換気口フード１の正面側から見た断面図である。図３の白抜きの矢印は気流の流れを表している。図３に示すように分離室１５内部の空気は、旋回室１４内部の旋回気流の影響により、全体的には旋回室１４内部と同方向の旋回気流となっている（全ての気流が同方向とは限らない）。そのため、分離室１５内の異物もその流れの影響で移動する。
【００５４】
図３に示すように、排出部１１の上部は下部に対して左右方向に広がっている。
【００５５】
旋回気流によって運ばれた異物は排出部１１に流入しやすくなっている。また、中心軸６方向にも幅を持たせることで、分離室１５内を流れる旋回気流が排出部１１を横断することとなり、異物が移動してきた際に、排出部１１に流入しやすくなっている。なお、中心軸６方向の長さは、分離室１５の中心軸６方向の長さと同じまで広げても良い。
【００５６】
排出口１２は、排出部１１の下部で、中心軸６方向に長い長方形状である。
【００５７】
細長い形状としたのは、体の大きい虫や鳥類などが侵入させずに、排出しやすいよう面積をかせぐためである。さらに、排出口１２を中心軸６方向に長くしたのは、自然風による排出効果を高めるためある。
【００５８】
カバー３内は負圧であるため、排出口１２からも気流が流入する。排出口１２から異物が重さにより落下しようとしても、流入気流により押し戻されるため、通常は異物が排出口１２から筐体５外へ出て行くことはほとんどない。
【００５９】
ところが、筐体５外で排出部１１近傍を自然風（横風）が吹くと、自然風は排出促進面１０の傾斜により、下方向の気流となる。筐体５内で排出口１２近傍に存在する異物は、この気流に誘引される形で筐体５外へ引っ張り出される。このように、分離室１５内に一時貯留している異物は、自然風が吹くたびに、自動で筐体５外へ排出されるため、異物を分離可能な換気口フード１でありながら、分離した異物のメンテナンスは不要となる。
【００６０】
本実施の形態のサイクロン分離装置は、換気口フード１として、住宅外壁に設置されるので、装置の背面側には壁面が存在する。そのため、自然風は中心軸６方向には流れにくく、住宅外壁に沿って流れやすくなる。すなわち、中心軸に垂直な面方向に流れることが多い。
【００６１】
排出促進面１０は排出口１２の両側に２面あり、それらは対称構造となっている。これは左右どちらから自然風が吹いても同様の排出促進効果を得るためである。なお、左右両側に傾斜を持った排出促進面１０が必要だが、厳密に対称構造でなくてもよく、多少角度が違っていたりしても構わない。
【００６２】
本実施の形態では、排出促進面１０に衝突する自然風がスムーズに向きを変えられるよう、逆さ富士のように徐々に傾斜が急になるスムーズな面とした。
【００６３】
次に、分離室１５内部の気流について詳細に説明する。
【００６４】
前述したように、空間分割板１３に設けた貫通孔１６から旋回気流の一部が分離室１５内に流入する。その影響により、分離室１５内では、旋回室１４内と同方向の旋回気流が発生する。しかし、換気口フード１内は下流の送風機により負圧となるため、同時に排出口１２からも分離室１５内に気流が流入する。この気流の向きは、垂線２４の方向となる。貫通孔１６を通って旋回室１４内へ流れる気流となる。
【００６５】
排出口１２から流入した気流は、分離室１５内に一時貯留されている異物を巻き上げ、貫通孔１６を通り流出口９から下流へ飛散する再飛散現象が発生することがある。流入気流制御板２０を備えることで、この再飛散現象を防止することができる。排出口１２の上方を覆うように流入気流制御板２０を備えることで、排出口１２から流入した気流は流入気流制御板２０に衝突し、排出促進面１０の近傍において、貫通孔１６から離れる方向へ気流を向かわせることができる。そのため異物は、図４（ａ）の垂線２４よりも右側の貫通孔１６の存在しない側で舞い上がるので、貫通孔１６への異物の再流入がなく、再飛散現象を防ぐことができるため、分離性能の低下を抑制することができる。
【００６６】
この時、垂線２４を基準にして、貫通孔１６の存在しない側で舞い上がったものが環状の分離室１５をさらに上方に行き、貫通孔１６に向かう場合がある。この場合、上部遮蔽板２３を設けることにより、分離室１５内の旋回気流（図３、白矢印で示す）の勢いを弱めることができるため、さらに再飛散現象を抑制することができる。
【００６７】
次に、筐体５外を自然風が吹いた場合、排出口１２から流入する気流の向きは自然風に影響され、自然風と同じ方向へ傾く。図３において、左から右側に向かって自然風が流れている場合、排出口１２から流入した気流は、排出促進面１０の傾斜に沿って、右側に傾いた気流となる。この場合、流入気流制御板２０に衝突しないが、貫通孔１６が存在しない側に向かうため、特に問題ない。
【００６８】
しかし、図３において、右から左側に向かって自然風が流れる場合、排出促進面１０に沿って左側に傾いた気流となる。この場合も流入気流制御板２０には衝突しない。そこで、返し板２１を設け、排出促進面１０の接線と先端端部２７とを結んだ線上に下部遮蔽板２２を備えることで、排出口１２から流入した気流が貫通孔１６側に傾いて図４（ａ）の点線の方向に向いたとしても、下部遮蔽板２２に衝突する。このため、異物が舞い上がっても下部遮蔽板２２に衝突し勢いを失い、直接、貫通孔１６に向かうことがないので、再飛散現象を抑制することができる。本実施の形態においては、さらに、流入気流制御板２０の上側端部２５側に隙間を設けたため、下部遮蔽板２２に衝突した気流の一部を通過させて、貫通孔１６の存在しない側へ逃がすことができる。つまり、下部遮蔽板２２から貫通孔１６側へ向かう気流をより減らすことができ、さらに再飛散現象を抑制することができる。
【００６９】
なお、換気口フード１は、住宅の壁面に設置されるため、図３において、壁面は奥側になるので、紙面の奥から手前に向かう流れは発生しない。逆に、紙面の手前から奥に向かう流れは発生することがあるが、この場合は、排出口１２から流入した気流は紙面の奥側に向かうこととなるが、流入気流制御板２０が分離室１５内を中心軸６方向に横たわって存在しているので、流入気流制御板２０に衝突することとなり、再飛散現象を防止できる。つまり、どの方角から自然風が吹いても再飛散現象の発生を抑制することができる。
【００７０】
以上のように本発明において、自然風の向きに左右されずに、常に排出口１２から流入する気流を制御し、再飛散現象を抑制することができるので、分離性能の低下を抑制しながら、自然風を利用して効率よく異物を排出させることができる換気口フード１を提供することができる。
【産業上の利用可能性】
【００７１】
本発明に係るサイクロン分離装置は、分離した異物を自然風を利用して自動排出させることができ、自然風の向きによらず再飛散現象を防止し、分離性能の低下を抑制できるものであるので、住宅内の換気で屋外の空気を取り込む住宅外壁の給気口部分に使用される換気口フード等として有用である。
【符号の説明】
【００７２】
１    換気口フード
２    流出管
３    カバー
４    ベース板
５    筐体
６    中心軸
７    流入口
８    固定羽根
９    流出口
１０    排出促進面
１１    排出部
１２    排出口
１３    空間分割板
１４    旋回室
１５    分離室
１６    貫通孔
１７    旋回室底面
１８    分離室底面
１９    内筒管
２０    流入気流制御板
２１    返し板
２２    下部遮蔽板
２３    上部遮蔽板
２４    垂線
２５    上側端部
２６    下側端部
２７    先端端部
【図１】
2020049407.tif 000003
【図２】
2020049407.tif 000004
【図３】
2020049407.tif 000005
【図４】
2020049407.tif 000006